(57)【要約】【課題】使用済みの採血針を露出させることなく廃棄することができるとともに、設計及び操作が容易である採血管ホルダ、針カバー、血液バッグの構成部品並びに血液バッグを提供すること。【解決手段】筒状の本体（１１、２１）と当該本体（１１、２１）の上部に着脱できるキャップ（１５、２５）とから構成され、前記キャップ（１５、２５）は、天面に針カバー（５０、６０）の保持部（１７、２７）を形成し、底面に本体（１１、２１）の密封部（１６、２６）を形成した採血管ホルダ（１０、２０）。【選択図】図１
2005230232.tif 000002
【特許請求の範囲】
【請求項１】
筒状の本体（１１、２１）と当該本体（１１、２１）の上部に着脱できるキャップ（１５、２５）とから構成され、
前記キャップ（１５、２５）は、天面に針カバー（５０、６０）の保持部（１７、２７）を形成し、底面に本体（１１、２１）の密封部（１６、２６）を形成した、ことを特徴とする採血管ホルダ（１０、２０）。
【請求項２】
筒状の本体（３１）上部に大径部（３５）を形成し、当該大径部（３５）に針カバー突起部（７８）の侵入溝（３６）と、針カバー突起部（７８）の係合溝（３７）を形成した、ことを特徴とする採血管ホルダ（３０）。
【請求項３】
筒状の本体（４１）上部に、針カバー鍔部（８４）に係合できる係止部（４８）を形成した、ことを特徴とする採血管ホルダ（４０）。
【請求項４】
筒状の本体（５１、６１、７１）に大径部（５５、６５、７５）と小径部（５７、６７、７７）を形成し、大径部（５５、６５、７５）の断面を円筒形または角筒形に形成し、小径部（５７、６７、７７）の断面を角筒形に形成したことを特徴とする針カバー（５０、６０、７０）。
【請求項５】
本体（５１、６１、７１）の大径部（５５、６５、７５）と小径部（５７、６７、７７）の間に、大径の円筒形または大径の角筒形から小径の角筒形に移行する中間部（５６、６６、７６）を形成したことを特徴とする請求項４に記載の針カバー（５０、６０、７０）。
【請求項６】
本体（５１、６１、７１）先端に、採血管ホルダの保持部（１７、２７）ないし採血管ホルダの大径部（３５）を接続できる鍔部（５４、６４、７４）を形成した、ことを特徴とする請求項４ないし請求項５に記載の針カバー（５０、６０、７０）。
【請求項７】
筒状の本体（７１）上部の鍔部（７４）に、採血管ホルダ大径部（３５）を係合できる突起部（７８）を形成した、ことを特徴とする請求項４ないし請求項６に記載の針カバー（７０）。
【請求項８】
筒状の本体（８１）上部に、採血管ホルダ係止部（４８）と係合できる鍔部（８４）を形成し、当該鍔部（８４）にチューブの係止溝（８６）を形成した、ことを特徴とする針カバー（８０）。
【請求項９】
請求項１に記載の採血管ホルダ（１０、２０）と請求項４ないし請求項６に記載の針カバー（５０、６０）の組み合わせよりなる血液バッグの構成部品。
【請求項１０】
請求項２に記載の採血管ホルダ（３０）と請求項７に記載の針カバー（７０）の組み合わせよりなる血液バッグの構成部品。
【請求項１１】
請求項３に記載の採血管ホルダ（４０）と請求項８に記載の針カバー（８０）の組み合わせよりなる血液バッグの構成部品。
【請求項１２】
請求項１ないし請求項３に記載の採血管ホルダ（１０、２０、３０、４０）、請求項４ないし請求項８に記載の針カバー（５０、６０、７０、８０）、請求項７ないし請求項１０に記載の血液バッグの構成部品の中から選ばれる少なくとも一つの構成部品を含む、ことを特徴とする血液バッグ（９０）。
【発明の詳細な説明】
【技術分野】
【０００１】
本発明は採血管ホルダ、針カバー、血液バッグの構成部品並びに血液バッグの改良に関する。
【背景技術】
【０００２】
特許文献１には、血液のサンプリングチューブの一端にサンプリング針を装着し、他方の端部に採血管ホルダを装着し、サンプリングチューブの途中に針カバーを装着した血液バッグの構成部品の発明が開示されている。
当該発明の使用方法を例示すると下記の通りである。
（１）サンプリング針を供血者に穿刺し、血液をサンプリングチューブを経て、サンプリング針を経て、試験管に採取する。
（２）上記作業が完了したら、サンプリング針を針カバー内に収納し、当該針カバーを採血管ホルダ内に挿入して、廃棄する。
当該発明では、細径の針カバーを大径の採血管ホルダ内に収納して廃棄することはできるが、細径の針カバーが、採血管ホルダから飛び出して、サンプリング針に付着している血液が作業者にも付着することがあり、衛生的に好ましくない。
【０００３】
特許文献２には、採血管ホルダと針カバーそれぞれに、相互に係合可能な部材（突起、溝等）を形成し、針カバー（先端の）開口端に、採血管ホルダのサンプリング針が入るように、針カバーを採血管ホルダに深く挿入するようにした、採血管ホルダ、針カバー、血液バッグの構成部品並びに血液バッグの発明が開示されている。
当該発明は、特許文献１に記載の発明の欠点は解消されたが、針カバーを採血管ホルダの奥深くまで挿入する形態であるため、奥深くまで挿入する操作に手間どり、操作上の難点があった。
特許文献３には、採血針全体を収納可能であるとともに、当該採血針全体を収納した状態において、採血針基と係合し、採血針の脱落を抑制する係合部を内面に形成した針カバーの発明が開示されている。
針カバー内面に係合部（突起等）を形成するには、採血針基が係合部（突起等）を乗り越えて、係合できるように形成しなければならないので、設計が必ずしも容易ではない。
また当該発明には、採血管ホルダとの係合構造等については何ら記載されていない。
【０００４】
【特許文献１】特開平２−１３４１５７号公報（図４から図１０参照）
【特許文献２】特表２００２−５２１１４６号公報（図３から図９参照）
【特許文献３】特開２０００−３４２６８６号公報（図４参照）
【発明の開示】
【発明が解決しようとする課題】
【０００５】
本発明が解決しようとする問題点は、針カバーを採血管ホルダの奥深くまで挿入する形態であるため、操作上の難点がある点、針カバーは採血針の脱落を抑制できるが、採血管ホルダと接続できない点である。
【課題を解決するための手段】
【０００６】
そこで本発明者は以上の課題を解決するために、鋭意検討を重ねた結果次の発明に到達した。
［１］本発明は、筒状の本体（１１、２１）と当該本体（１１、２１）の上部に着脱できるキャップ（１５、２５）とから構成され、
前記キャップ（１５、２５）は、天面に針カバー（５０、６０）の保持部（１７、２７）を形成し、底面に本体（１１、２１）の密封部（１６、２６）を形成した採血管ホルダ（１０、２０）を提供する。
［２］本発明は、筒状の本体（３１）上部に大径部（３５）を形成し、当該大径部（３５）に針カバー突起部（７８）の侵入溝（３６）と、針カバー突起部（７８）の係合溝（３７）を形成した採血管ホルダ（３０）を提供する。
［３］本発明は、筒状の本体（４１）上部に、針カバー鍔部（８４）に係合できる係止部（４８）を形成した採血管ホルダ（４０）を提供する。
［４］本発明は、筒状の本体（５１、６１、７１）に大径部（５５、６５、７５）と小径部（５７、６７、７７）を形成し、大径部（５５、６５、７５）の断面を円筒形または角筒形に形成し、小径部（５７、６７、７７）の断面を角筒形に形成した針カバー（５０、６０、７０）を提供する。
［５］本発明は、本体（５１、６１、７１）の大径部（５５、６５、７５）と小径部（５７、６７、７７）の間に、大径の円筒形または大径の角筒形から小径の角筒形に移行する中間部（５６、６６、７６）を形成した［４］に記載の針カバー（５０、６０、７０）を提供する。
［６］本発明は、本体（５１、６１、７１）先端に、採血管ホルダの保持部（１７、２７）ないし採血管ホルダの大径部（３５）を接続できる鍔部（５４、６４、７４）を形成した［４］ないし［５］に記載の針カバー（５０、６０、７０）を提供する。
［７］本発明は、筒状の本体（７１）上部の鍔部（７４）に、採血管ホルダ大径部（３５）を係合できる突起部（７８）を形成した［４］ないし［６］に記載の針カバー（７０）を提供する。
［８］本発明は、筒状の本体（８１）上部に、採血管ホルダ係止部（４８）と係合できる鍔部（８４）を形成し、当該鍔部（８４）にチューブの係止溝（８６）を形成した針カバー（８０）を提供する。
［９］本発明は、［１］に記載の採血管ホルダ（１０、２０）と［４］ないし［６］に記載の針カバー（５０、６０）の組み合わせよりなる血液バッグの構成部品を提供する。
［１０］本発明は、［２］に記載の採血管ホルダ（３０）と［７］に記載の針カバー（７０）の組み合わせよりなる血液バッグの構成部品を提供する。
［１１］本発明は、［３］に記載の採血管ホルダ（４０）と［８］に記載の針カバー（８０）の組み合わせよりなる血液バッグの構成部品を提供する。
［１２］本発明は、［１］ないし［３］に記載の採血管ホルダ（１０、２０、３０、４０）、［４］ないし［８］に記載の針カバー（５０、６０、７０、８０）、［７］ないし［１０］に記載の血液バッグの構成部品の中から選ばれる少なくとも一つの構成部品を含む血液バッグ（９０）を提供する。
【発明の効果】
【０００７】
［１］本発明の針カバーと採血管ホルダは、特許文献２に記載の発明のように、針カバーを採血管ホルダの奥深くまで挿入しなくても、針カバーと採血管ホルダの先端同士のみで、簡単に接続（係合、嵌入、嵌合）して、相互に固定でき、使用済みの採血針を露出させることなく廃棄することができる。
［２］本発明の針カバーは、特許文献２に記載の発明のように針カバー内面に係合部を形成しなくても、小径部により、採血針基を固定できるので、設計及び操作が容易である。
【発明を実施するための最良の形態】
【０００８】
図１（Ａ）、（Ｂ）、２、３、４は、本発明の採血管ホルダ１０、２０、３０、４０と針カバー５０、６０、７０、８０の概略図[（注）図１（Ｂ）は採血管ホルダ１０の分解図]、図５、６は図１の針カバーの概略図[（Ａ）は断面図、（Ｂ）は天面図、（Ｃ）はそれぞれＡ−Ａ´、Ｂ−Ｂ´断面図、（Ｄ）は斜視図である。
［採血管ホルダ］
本発明の採血管ホルダ１０、２０は図１、図２に例示するように筒状の本体１１、２１と当該本体１１、２１の上部に着脱できるキャップ１５、２５とから構成される。
キャップ１５、２５は、本体１１、２１上部に直接装着しても良いし、本体１１、２１上側部にヒンジ（図示せず）を介して装着（連結）しても良いし、本体１１、２１の外周に環状の固定部材（図示せず）を装着し、固定部材に柄（図示せず）を介して装着（連結）しても良い。
キャップ１５、２５は、天面に針カバーの保持部１７、２７を形成し、底面に本体１１、２１の密封部１６、２６を形成している。
「針カバーの保持部１７、２７」は、円筒形（図１）ないし角筒形（図２）に形成され、針カバー先端（鍔部５４、６４）を嵌入しやすいように、溝１７Ａ、２７Ａが複数形成されている。
また針カバーの保持部１７では、図１に例示するように針カバー先端（鍔部５４）が嵌入しやすいように大径部１７Ｂが形成されている。
また針カバーの保持部２７では、図２に例示するように嵌入した針カバー先端（鍔部６４）が容易にはずれないように、針カバー先端（鍔部６４）に係止できる係止部２７Ｂが形成されている。
本体１１、２１の密封部１６、２６は、本体１１、２１上部の開口部に装着されて密封できる形態であればなんでも良い。図１、図２に例示するように、開口部内に圧入できる形態でも良いし、開口部を天面及び外周から覆う（被冠する）形態でも良い。
また本体１１、２１の鍔部１４、２４にはチューブ（採血チューブ９２）の装着部１８、２８（図１、２の例示では溝）を形成することができる。また本体１１、２１には、持ちやすいようにリブ２１Ａ（図２の例示では縦方向の細長い突起）を形成することもできる。
【０００９】
また本発明の採血管ホルダ３０は図３に例示するように、筒状の本体３１上部に大径部３５を形成し、当該大径部３５に針カバー突起部７８の侵入溝３６と、針カバー突起部７８の係合溝３７を形成している。
前記侵入溝３６は図３に例示するように、縦方向（採血管ホルダ３０の長さ方向）に対向して（１８０°の間隔を空けて）二箇所形成され、係合溝３７は円周状（採血管ホルダ３０の円周方向）に形成される。
【００１０】
また本発明の採血管ホルダ４０は図４に例示するように、筒状の本体４１上部に、針カバーの８４鍔部に係合できる係止部４８を形成している。係止部４８は、本体４１上部外周に対向して（１８０°の間隔を空けて）二箇所形成され、アーム状に突設されている。係止部４８の先端が、針カバーの鍔部８４外縁に係合される。
【００１１】
［針カバー］
また本発明の針カバー５０、６０は、図１、２、３、５、６に例示するように、筒状の本体５１、６１、７１に大径部５５、６５、７５と小径部５７、６７、７７を形成し、小径部５７、６７、７７の断面を角筒形に形成している。
さらに詳述すると、針カバー５０は、図１と図５、６に例示するように、本体５１の上部から底部にわたって、大径の鍔部５４、大径部５５、中間部５６、小径部５７、（チューブの）挿通路５３が形成されている。
鍔部５４と大径部５５は円筒形に形成され、小径部５７は、角筒形（断面が略四角形）に形成されている。中間部５６の断面は図１、３、５、６に例示するように、大径の円筒形（大径部５５）から小径の角筒形（小径部５７）に移行する中間の形態に形成されている。すなわち中間部５６は大径部５５から小径部５７に向かって傾斜する斜面で、円筒形と角筒形が交互に混在している。
さらに詳述すれば、採血針の角筒状ハブ（針基）、９１Ｂは円筒状のハブ（針基）も、円筒形（大径部５５）から中間部５６を経て、角筒形（小径部５７）に誘い込まれて、角筒形（小径部５７）に固定される。
以上説明したように、小径部５７は、図５ないし図６に例示するように角筒状ないし円筒状のハブ（針基）を有する採血針９１の両方を装着することができる。図５ないし図６において、９１Ａは角筒状ハブ（針基）、９１Ｂは円筒状のハブ（針基）である。
【００１２】
また図２に例示した針カバー６０は、図１に例示した針カバー５０において、鍔部６４と大径部６５を角筒形（略四角形）に形成したものである。中間部６６の断面は図２に例示するように、大径の角筒形（大径部６５）から小径の角筒形（小径部６７）に移行する形態に形成されている。すなわち中間部６６は大径部６５から小径部６７に向かって傾斜する斜面で、円筒形と角筒形が交互に混在している。
その他の説明等は、図１に例示した針カバー５０と実質的に同じであるから詳細な説明は省略する。
【００１３】
また本発明の針カバー７０は、図３に例示するように、筒状の本体７１上部の鍔部７４に、採血管ホルダ３０の侵入溝３６を経て係合溝３７に係合できる突起部７８を形成している。
突起部７８は、図３に例示するように、矩形状に形成され、鍔部７４外周に対向して（１８０°の間隔を空けて）二箇所形成されている。針カバー７０は図１に例示した針カバー５０と同様に、大径部７５、中間部６６及び小径部７７を有する。
【００１４】
また本発明の針カバー８０は、図４に例示するように、採血管ホルダ４０の係止部４８と係合できる鍔部８４を形成し、当該鍔部８４に、採血チューブ９２の係止溝８６を形成している。なお係止溝８６は、使用前の採血チューブ９２が、よじれないように固定するためのものである。
【００１５】
［採血管ホルダ１０、２０、３０、４０と針カバー５０、６０、７０、８０を構成部品として含む血液バッグ９０］
図８は本発明の採血管ホルダ１０、２０、３０、４０と針カバー５０、６０、７０、８０を装着した血液バッグ９０の一例を示す。
針カバー５０、６０、７０、８０は、採血針９１を接続した採血チューブ９２の途中にスライドできるように配置される。
採血管ホルダ１０、２０、３０、４０は、採血チューブ９２の途中に分岐した配置されたサンプリングチューブ９３の先端に配置される。サンプリングチューブ９３の先端にはサンプリング針９４が接続され、採血管ホルダ１０、２０、３０、４０は、サンプリング針９４の針基に装着される。
製品の包装袋収納時（出荷時）には、採血管ホルダ１０、２０、３０と針カバー５０、６０、７０は、図７のように、相互に分離した状態にされる。また採血管ホルダ１０、２０は、本体１１、２１にキャップ１５、２５が装着される。
他方、採血管ホルダ４０と針カバー８０は、相互に接続した状態にされる。
［血液バッグ９０の使用例］
（１）採血針９１を供血者に穿刺し、血液を採血チューブ９２を経て、バッグ本体９５へ採取する。
（２）血液採取の途中で検査用の血液をサンプリングチューブ９３、サンプリング針９４を経て、試験管９６に採取する。
（３）上記作業が完了したら、採血針９１を針カバー５０、６０、７０、８０内に収納し、当該針カバー５０、６０、７０、８０先端を採血管ホルダ１０、２０、３０、４０先端に接続する。
【００１６】
［採血管ホルダ１０と針カバー５０の使用例］
針カバー５０内に採血針９１を収納した後、図１に例示するように針カバー５０先端（鍔部５４）を採血管ホルダ１０の保持部１７に嵌入する。保持部１７には複数の溝１７Ａが形成されているために、針カバー５０先端（鍔部５４）を、大径部１７Ｂを得て保持部１７に嵌入する時、保持部１７は外側に押し広げられるので、針カバー５０先端（鍔部５４）は容易に保持部１７に嵌入し、固定することができる。
針カバー５０先端（鍔部５４）、採血管ホルダ１０の保持部１７（大径部１７Ｂも含む）は、相互に接続（嵌合、嵌入、係合）できて、固定できる形態であればなんでも良く、図１に例示した形態に限定されない。
【００１７】
［採血管ホルダ２０と針カバー６０の使用例］
針カバー６０内に採血針を収納した後、図２に例示するように針カバー６０先端（鍔部６４）を採血管ホルダ２０の保持部２７に嵌入する。保持部２７は複数の溝２７Ａが形成されているために、針カバー６０先端（鍔部６４）を保持部２７に嵌入する時、保持部２７は外側に押し広げられるので、針カバー６０先端（鍔部６４）は容易に保持部２７に嵌入し、固定することができる。
また係止部２７Ｂにより、嵌入した針カバー６０先端（鍔部６４）が容易にはずれないように、固定することができる。
針カバー６０先端（鍔部６４）、採血管ホルダ２０の保持部２７（係止部２７Ｂ）は、相互に接続（嵌合、嵌入、係合）できて、固定できる形態であればなんでも良く、図２に例示した形態に限定されない。
【００１８】
［採血管ホルダ３０と針カバー７０の使用例］
針カバー７０内に採血針９１を収納した後、図３に例示するように針カバー７０先端（鍔部７４）を採血管ホルダ３０の大径部３５に嵌入する。
針カバー７０先端（鍔部７４）の突起部７８を、大径部３５の侵入溝３６を経て、係合溝３７まで嵌入し、針カバー７０を９０°回転させることにより、突起部７８が侵入溝３６と９０°異なる位置まで移動し、侵入溝３６より引き抜けなくなくなることにより、係合される。
針カバー７０先端（鍔部７４、突起部７８）、採血管ホルダ３０の大径部３５、侵入溝３６、係合溝３７は、相互に接続（嵌合、嵌入、係合）できて、固定できる形態であればなんでも良く、図３に例示した形態に限定されない。
【００１９】
［採血管ホルダ４０と針カバー８０の使用例］
（採血前）
製品の包装袋収納時には、採血管ホルダ４０の係止部４８と針カバー８０の鍔部８４は、相互に接続（嵌合、嵌入、係合）して固定されている。
採血する前に、採血管ホルダ４０の係止部４８と針カバー８０の鍔部８４の接続（嵌合、嵌入、係合）を解除する。
（採血後）
採血終了後、針カバー８０内に採血針９１を収納した後、図４に例示するように採血管ホルダ４０先端の係止部４８を針カバー８０の鍔部８４に係合する。
採血管ホルダ４０先端の係止部４８、針カバー８０の鍔部８４は、相互に接続（嵌合、嵌入、係合）できて、固定できる形態であればなんでも良く、図５に例示した形態に限定されない。
【図面の簡単な説明】
【００２０】
【図１】（Ａ）採血管ホルダと針カバーの概略図、（Ｂ）は採血管ホルダ１０の分解図
【図２】採血管ホルダと針カバーの概略図
【図３】採血管ホルダと針カバーの概略図
【図４】採血管ホルダと針カバーの概略図
【図５】針カバーに採血針を収納したところ一例を示す概略図［（Ａ）は断面図、（Ｂ）は天面図、（Ｃ）はＡ−Ａ´断面図、（Ｄ）は斜視図］
【図６】針カバーに採血針を収納したところ一例を示す概略図［（Ａ）は断面図、（Ｂ）は天面図、（Ｃ）はＢ−Ｂ´断面図、（Ｄ）は斜視図］
【図７】採血管ホルダ１０、２０、３０、４０と針カバー５０、６０、７０、８０を装着する血液バッグの一例を示す概略図
【符号の説明】
【００２１】
１０、２０、３０、４０  採血管ホルダ
１１、２１、３１、４１  本体
１３、２３、３３、４３  （チューブの）接続部
１４、２４、３４、  鍔部
１５、２５  キャップ
１６、２６  （採血管ホルダの）密封部
１７、２７  （針カバーの）保持部
１７Ａ、２７Ａ  溝
１７Ｂ  大径部
２７Ｂ  係止部
１８、２８  （採血チューブの）装着部
２１Ａ  リブ
３５  大径部
３６  侵入溝
３７  係合溝
４６  係止溝
４８  係止部
５０、６０、７０、８０  針カバー
５１、６１、７１、８１  本体
５３、６３、７３、８３  （チューブの）挿通路
５４、６４、７４、８４  鍔部
５５、６５、７５  大径部
５６、６６、７６  中間部
５７、６７、７７  小径部
７８  突起部
８６  溝
９０  血液バッグ
９１  採血針
９１Ａ  角筒状ハブ（針基）
９１Ｂ  円筒状のハブ（針基）
９２  採血チューブ
９３  サンプリングチューブ
９４  サンプリング針
９５  バッグ本体
９６  試験管
【図１】
2005230232.tif 000003
【図２】
2005230232.tif 000004
【図３】
2005230232.tif 000005
【図４】
2005230232.tif 000006
【図５】
2005230232.tif 000007
【図６】
2005230232.tif 000008
【図７】
2005230232.tif 000009